(57)【要約】【課題】使用者に湯の使用を制限することなく水温センサの故障を検出することのできる給湯機を提供すること。【解決手段】本発明の給湯機は、給水管からの水と給湯管からの湯とを混合して混合水とする混合弁を備える。給水温センサで検出された給水温ＴＷと、給湯温センサで検出された給湯温ＴＨと、使用者により設定された目標混合水温Ｔｇとに基づいて、混合水温が計算上で目標混合水温Ｔｇに一致するような混合弁開度の上限開度ＳＵと下限開度ＳＬとを算出する。温度制御手段は、目標混合水温Ｔｇと混合水温センサで検出された混合水温Ｔａとの偏差に基づき、制御混合弁開度Ｓｃを算出する。制御混合弁開度Ｓｃが上限開度ＳＵから下限開度ＳＬまでの範囲に入らない場合には、給水温センサ、給湯温センサおよび混合水温センサのうちの何れかに異常があると判定する。【選択図】図３
2011149605.tif 000002
【特許請求の範囲】
【請求項１】
水源から水を供給する給水管と、
前記給水管から供給される水の温度を検出する給水温センサと、
湯を供給する給湯管と、
前記給湯管から供給される湯の温度を検出する給湯温センサと、
前記給水管から供給される水と前記給湯管から供給される湯とを混合する箇所に設けられ、両者の混合比を可変とする混合弁と、
前記混合弁の開度を、前記水の混合割合が最大となる水側全開と、前記湯の混合割合が最大となる湯側全開との間で変えることのできるアクチュエータと、
前記混合弁の下流側を流れる混合水の温度を検出する混合水温センサと、
使用者により設定された目標混合水温と、前記混合水温センサで検出された温度との偏差に基づいて、前記偏差をなくすように混合弁開度を算出する温度制御手段と、
前記給水温センサで検出された温度と、前記給湯温センサで検出された温度と、前記目標混合水温とに基づいて、計算上で前記混合水温が前記目標混合水温に一致すると予測される混合弁開度である計算混合弁開度を水側全開方向に誤差を見込んでずらした混合弁開度である第１限界開度と、前記計算混合弁開度を湯側全開方向に誤差を見込んでずらした混合弁開度である第２限界開度とを算出する手段と、
前記温度制御手段により算出された混合弁開度である制御混合弁開度が、前記第１限界開度から前記第２限界開度までの範囲に入らない場合に、前記給水温センサ、前記給湯温センサおよび前記混合水温センサのうちの何れかに異常があると判定する異常判定手段と、
を備えることを特徴とする給湯機。
【請求項２】
前記異常判定手段は、前記制御混合弁開度が前記第１限界開度から前記第２限界開度までの範囲に入らない場合に、前記混合水温センサに異常があると判定することを特徴とする請求項１記載の給湯機。
【請求項３】
前記制御混合弁開度が前記第１限界開度よりも水側全開方向の範囲にあった場合に、実際の混合弁開度を前記第１限界開度に一致させる手段と、
前記制御混合弁開度が前記第２限界開度よりも湯側全開方向の範囲にあった場合に、実際の混合弁開度を前記第２限界開度に一致させる手段と、
を備えることを特徴とする請求項１または２に記載の給湯機。
【請求項４】
前記異常判定手段が異常ありと判定した場合に、前記制御混合弁開度と前記計算混合弁開度のうち水側全開に近い方の開度に、実際の混合弁開度を一致させる手段を備えることを特徴とする請求項１または２記載の給湯機。
【請求項５】
前記異常判定手段が異常ありと判定した場合に、実際の混合弁開度を、予め定められた固定値に一致させる手段を備えることを特徴とする請求項１または２記載の給湯機。
【請求項６】
前記異常判定手段が異常ありと判定した場合に、実際の混合弁開度を水側全開とする手段を備えることを特徴とする請求項１または２記載の給湯機。
【発明の詳細な説明】
【技術分野】
【０００１】
本発明は、給湯機に関する。
【背景技術】
【０００２】
従来、給湯機では、熱源によって加熱された高温の湯と、水源からの低温の水とを電動湯水混合弁にて混合し、その混合された混合水の温度を混合水温センサにより検出し、その検出された混合水温が使用者の設定した温度になるように電動湯水混合弁の弁開度を調節することで、使用者の希望する温度の湯水を給湯栓に供給することを実現している。
【０００３】
下記特許文献１には、混合水温センサ（特許文献１では「給湯温度検出センサ」）の故障を検出する技術が開示されている。特許文献１記載の給湯機では、混合弁開度を湯側全開にして湯を供給し、混合水温センサで検出された温度が所定温度（５５℃）以下を示した場合に、混合水温センサの故障と判定している。
【先行技術文献】
【特許文献】
【０００４】
【特許文献１】特開２００４−２００２１号公報
【発明の概要】
【発明が解決しようとする課題】
【０００５】
上述したように、特許文献１記載の給湯機では、混合水温センサの故障を判定するために、混合弁開度を強制的に湯側全開にする必要があるので、故障判定が終わるまで、使用者の希望する温度で給湯できないという問題がある。また、故障判定で混合弁開度を湯側全開にした際、水と混合されていない高温の湯が給湯栓に供給され、使用者が火傷するおそれがある。
【０００６】
本発明は、上述のような課題を解決するためになされたもので、使用者に対し湯の使用を制限することなく、水温センサの故障を検出することのできる給湯機を提供することを目的とする。
【課題を解決するための手段】
【０００７】
本発明に係る給湯機は、水源から水を供給する給水管と、給水管から供給される水の温度を検出する給水温センサと、湯を供給する給湯管と、給湯管から供給される湯の温度を検出する給湯温センサと、給水管から供給される水と給湯管から供給される湯とを混合する箇所に設けられ、両者の混合比を可変とする混合弁と、混合弁の開度を、水の混合割合が最大となる水側全開と、湯の混合割合が最大となる湯側全開との間で変えることのできるアクチュエータと、混合弁の下流側を流れる混合水の温度を検出する混合水温センサと、使用者により設定された目標混合水温と、混合水温センサで検出された温度との偏差に基づいて、偏差をなくすように混合弁開度を算出する温度制御手段と、給水温センサで検出された温度と、給湯温センサで検出された温度と、目標混合水温とに基づいて、計算上で混合水温が目標混合水温に一致すると予測される混合弁開度である計算混合弁開度を水側全開方向に誤差を見込んでずらした混合弁開度である第１限界開度と、計算混合弁開度を湯側全開方向に誤差を見込んでずらした混合弁開度である第２限界開度とを算出する手段と、温度制御手段により算出された混合弁開度である制御混合弁開度が、第１限界開度から第２限界開度までの範囲に入らない場合に、給水温センサ、給湯温センサおよび混合水温センサのうちの何れかに異常があると判定する異常判定手段と、を備えたものである。
【発明の効果】
【０００８】
本発明によれば、使用者に対し湯の使用を制限することなしに、水温センサの故障を検出することができる。また、その際に使用者が火傷するおそれもない。
【図面の簡単な説明】
【０００９】
【図１】本発明の給湯機の実施の形態を示す概略図である。
【図２】図１に示す貯湯式給湯機の制御回路構成を示すブロック図である。
【図３】本発明の実施の形態１における水温センサ異常検出のフローチャートである。
【図４】本発明の実施の形態２における水温センサ異常検出のフローチャートである。
【図５】本発明の実施の形態３における水温センサ異常検出のフローチャートである。
【図６】本発明の実施の形態４における水温センサ異常検出のフローチャートである。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の給湯機の実施の形態を示す概略図である。同図に示す給湯機１３０は、市水等の低温水を熱源機で湯に沸き上げて所望箇所に給湯する機能を有するものである。この給湯機１３０は、ヒートポンプユニット１０とタンクユニット１１０と制御装置１２０とを備えている。以下、給湯機１３０の各構成要素について説明する。
【００１２】
ヒートポンプユニット１０は、ユニットケース２内に、冷媒を圧縮する圧縮機１と、沸上げ用熱交換器３と、膨張弁５と、蒸発器７と、これらを環状に接続する冷媒循環配管９とによって構成された冷凍サイクルシステムを有し、熱源機として機能する。
【００１３】
一方、タンクユニット１１０は、貯湯タンク２０、給水管路３０、貯湯用循環管路４０および給湯管路５０を有している。
【００１４】
貯湯タンク２０は、給水管路３０から供給される低温水を貯留すると共に、ヒートポンプユニット１０で沸き上げられた湯を貯留する積層式の貯湯タンクである。この貯湯タンク２０の下部には、給水管路３０が接続される水導入口２０ａと、貯湯用循環管路４０の往き管４０ａが接続される水導出口２０ｂとが設けられている。貯湯タンク２０の上部には、貯湯用循環管路４０の戻り管４０ｂが接続される温水導入口２０ｃと、給湯管路５０が接続される温水導出口２０ｄとが設けられている。貯湯タンク２０内は、下層の低温水と上層の湯とで常に満杯状態に保たれる。
【００１５】
給水管路３０は、市水等の低温水を貯湯タンク２０、給湯管路５０、および所定の給湯先に供給する管路であり、第１給水管部３０ａ、第２給水管部３０ｂ、給水管３０ｃおよび減圧弁（図示せず）を有している。第１給水管部３０ａは、水道等の水源（図示せず）と貯湯タンク２０の水導入口２０ａとを繋ぐ。給水管３０ｃは、第１給水管部３０ａから分岐し、この第１給水管部３０ａと後述の電動湯水混合弁４５とを繋ぐ。第２給水管部３０ｂは、第１給水管部３０ａから分岐し、この第１給水管部３０ａと所定の給湯先とを繋ぐ。図示の例では、給湯先の例として１つの給湯栓１６０が示されている。減圧弁は、第１給水管部３０ａでの第２給水管部３０ｂの分岐箇所よりも下流側に設けられて、水源水圧を所定値以下となるように減じる。図１においては、第１給水管部３０ａでの低温水の流れ方向を実線の矢印で示している。
【００１６】
貯湯用循環管路４０は、貯湯タンク２０の水導出口２０ｂからヒートポンプユニット１０中の沸上げ用熱交換器３を経由して貯湯タンク２０の温水導入口２０ｃに達する管路であり、三方弁３３と貯湯用送水ポンプ３５とがこの順に設けられた往き管４０ａと、戻り管４０ｂと、バイパス管４０ｃとを有している。往き管４０ａは、水導出口２０ｂと沸上げ用熱交換器３とを繋ぐ。戻り管４０ｂは、沸上げ用熱交換器３と温水導入口２０ｃとを繋ぐ。バイパス管４０ｃは、往き管４０ａでの沸上げ用熱交換器３の上流側に設けられた三方弁３３により往き管４０ａから分岐して、往き管４０ａと戻り管４０ｂとを接続する。凍結防止運転時には、貯湯タンク２０から往き管４０ａに流入した水が沸上げ用熱交換器３と戻り管４０ｂを経由しバイパス管４０ｃを通って再び往き管４０ａに流れる。沸上げ用熱交換器３により湯を沸上げる沸上げ運転および上記凍結防止運転を可能にするために、往き管４０ａでの三方弁３３の下流側に貯湯用送水ポンプ３５が設けられている。
【００１７】
給湯管路５０は、貯湯タンク２０内から給湯管５０ａを通って流れてきた高温の湯と、給水管３０ｃからの低温水とを電動湯水混合弁４５により混合し、その混合した湯水（以下、「混合水」と称する）を、所定の給湯先（図示の例では給湯栓１６０）に供給する管路である。給湯管路５０は、電動湯水混合弁４５と、給湯管５０ａと、混合給湯管５０ｂとを有している。給湯管５０ａは、貯湯タンク２０の温水導出口２０ｄと電動湯水混合弁４５とを繋ぐ。混合給湯管５０ｂは、電動湯水混合弁４５と給湯栓１６０とを繋ぐ。図１においては、給湯栓１６０からの湯水の流出方向を破線の矢印で示している。
【００１８】
電動湯水混合弁４５は、給湯管５０ａから供給される湯と、給水管３０ｃから供給される水との混合比を調整する弁と、その弁を駆動するアクチュエータとしての混合弁駆動モータ４５ａとを備えている。混合弁駆動モータ４５ａを制御することにより、電動湯水混合弁４５の開度（以下、「混合弁開度」と称する）を、水の混合割合が最大となる水側全開と、湯の混合割合が最大となる湯側全開との間で変えることができる。本実施形態では、混合弁開度を水側全開とした場合には、混合比が水１００：湯０となり、湯側全開とした場合には混合比が水０：湯１００となるものとする。
【００１９】
本実施形態における混合弁駆動モータ４５ａは、ステッピングモータで構成されている。本実施形態における混合弁開度は、このステッピングモータのステップ数で表すことができる。以下の説明では、電動湯水混合弁４５の動作範囲は混合弁駆動モータ４５ａの０〜１０００ステップであり、０ステップが水側全開に相当し、１０００ステップが湯側全開に相当するものとする。
【００２０】
貯湯タンク２０の上部には、給湯温センサ１０２が取り付けられている。給湯温センサ１０２によれば、給湯管５０ａを流れる湯の温度を検出することができる。給水管３０ｃには、給水温センサ１０１が取り付けられている。給水温センサ１０１によれば、給水管３０ｃを流れる低温水の温度を検出することができる。混合給湯管５０ｂには、混合水温センサ１０３が取り付けられている。混合水温センサ１０３によれば、電動湯水混合弁４５の下流側の混合水の温度を検出することができる。
【００２１】
タンクユニット１１０を構成する上述の構成部材のうち、給水管路３０、貯湯用循環管路４０、給湯管路５０の各々は、その一部がユニットケース１１２の外部にまで延在しており、残りの構成部材は、ユニットケース１１２に納められている。
【００２２】
図２は、上記構成の貯湯式給湯機の制御回路構成を示すブロック図である。制御装置１２０は、上記のユニットケース１１２内に配置された制御装置本体１２０ａと、台所や浴室等に配置されて制御装置本体１２０ａに有線接続または無線接続されたリモコン１２０ｂとを有している。制御装置本体１２０ａには、ヒートポンプユニット１０、三方弁３３、混合弁駆動モータ４５ａ、給水温センサ１０１、給湯温センサ１０２および混合水温センサ１０３がそれぞれ接続されている。制御装置本体１２０ａは、入力装置としてのリモコン１２０ｂから使用者が入力した情報や指令、並びに各センサの信号等に基づいて、各部の動作を制御する。
【００２３】
したがって、給湯機１３０は、リモコン１２０ｂから使用者が入力した上述の情報や指令等に基づいて動作する。例えば、リモコン１２０ｂから使用者が入力した沸上げ開始時刻になると、制御装置１２０による制御の下にヒートポンプユニット１０および貯湯用送水ポンプ３５が起動されて沸上げ運転が開始される。そして、貯湯タンク２０に設けられた温度センサ（図示せず）の検出結果から所定温度の湯が貯湯タンク２０に所定量貯留されたと判断されるまで、沸上げ運転が継続される。この間、貯湯タンク２０下部の水導出口２０ｂから貯湯用循環管路４０に低温水が流入し、ヒートポンプユニット１０で湯に沸き上げられて貯湯タンク２０上部の温水導入口２０ｃから該貯湯タンク２０に戻される。
【００２４】
また、リモコン１２０ｂは、給湯栓１６０に供給される湯水（混合水）の温度を、使用者が希望する任意の温度に設定できるように構成されている。給湯栓１６０が開かれると、制御装置本体１２０ａは、使用者によってリモコン１２０ｂで設定された給湯温度（以下、「目標混合水温」と称する）と、混合水温センサ１０３で検出された温度との偏差をなくすように混合弁駆動モータ４５ａを制御し、混合弁開度を制御する。すなわち、制御装置本体１２０ａは、混合水温のフィードバック制御を行うことができる。
【００２５】
図３は、本発明の実施の形態１における水温センサ異常検出を行うために制御装置本体１２０ａが実行するルーチンのフローチャートである。これを用いて実施の形態１での異常検出を詳しく説明する。
【００２６】
ステップＳ１では、給湯の有無を確認する。具体的には、給湯栓１６０が開かれていれば、給湯ありと判断し、ステップＳ２へ進む。そうでなければループする。ステップＳ２では、給水温センサ１０１で検出された給水温ＴＷを読み込み、ステップＳ３へ進む。ステップＳ３では、給湯温センサ１０２で検出された給湯温ＴＨを読み込み、ステップＳ４へ進む。
【００２７】
ステップＳ４では、上記ステップＳ２で取得された給水温ＴＷと、上記ステップＳ３で取得された給湯温ＴＨと、予め使用者によりリモコン１２０ｂにて設定された目標混合水温Ｔｇとに基づいて、混合弁開度の上限開度および下限開度を算出する。
【００２８】
前述したように、混合弁開度は、混合弁駆動モータ４５ａの０ステップ（水側全開）〜１０００ステップ（湯側全開）で表される。混合弁開度が０ステップ（水側全開）のときには、給水管３０ｃからの水がそのまま混合給湯管５０ｂに流れるので、混合水温センサ１０３で検出される温度は給水温ＴＷに一致する。また、混合弁開度が１０００ステップ（湯側全開）のときには、給湯管５０ａからの湯がそのまま混合給湯管５０ｂに流れるので、混合水温センサ１０３で検出される温度は給湯温ＴＨに一致する。ゆえに、混合弁駆動モータ４５ａによって混合弁開度を動かした際に、混合水温センサ１０３で検出される混合水温を１度変化させるのに必要なステップ数は、１０００／（ＴＨ−ＴＷ）で表すことができる。従って、混合水温センサ１０３で検出される温度が目標混合水温Ｔｇに一致すると計算上で予測される混合弁開度をＳｅとすると、Ｓｅは、次式で表される。
Ｓｅ＝１０００／（ＴＨ−ＴＷ）×（Ｔｇ−ＴＷ）    ・・・（１）
【００２９】
上記（１）式で表される混合弁開度Ｓｅを、以下、「計算混合弁開度」と称する。ステップＳ４では、計算混合弁開度Ｓｅに対し、目標混合水温で±５度に相当する幅の誤差を正常範囲と見込んで、上限開度ＳＵおよび下限開度ＳＬを算出する。すなわち、上限開度ＳＵおよび下限開度ＳＬは、それぞれ、次式で表される。
ＳＵ＝１０００／（ＴＨ−ＴＷ）×（Ｔｇ＋５−ＴＷ）    ・・・（２）
ＳＬ＝１０００／（ＴＨ−ＴＷ）×（Ｔｇ−５−ＴＷ）    ・・・（３）
【００３０】
ステップＳ４では、上記（２）式および（３）式に従って上限開度ＳＵおよび下限開度ＳＬを算出し、ステップＳ５へ進む。なお、上記（２）式で算出される上限開度ＳＵは、目標混合水温を５度超える幅の誤差を見込むことによって計算混合弁開度Ｓｅを湯側全開方向にずらした値（第２限界開度）に相当しており、上記（３）式で算出される下限開度ＳＬは、目標混合水温を５度下回る幅の誤差を見込むことによって計算混合弁開度Ｓｅを水側全開方向にずらした値（第１限界開度）に相当している。
【００３１】
ステップＳ５では、混合水温センサ１０３で検出された混合水温Ｔａを読み込み、ステップＳ６へ進む。ステップＳ６では、目標混合水温Ｔｇと混合水温センサ１０３で検出された混合水温Ｔａとの偏差に基づいて、その偏差をなくす方向にフィードバック補正処理を加えた混合弁開度を算出する。このステップＳ６で算出された混合弁開度を以下「制御混合弁開度」と称し、記号Ｓｃで表す。ステップＳ６の次は、ステップＳ７へ進む。
【００３２】
ステップＳ７では、ステップＳ６で算出された制御混合弁開度Ｓｃが、上限開度ＳＵから下限開度ＳＬまでの範囲に入っているか比較する。制御混合弁開度Ｓｃが上限開度ＳＵから下限開度ＳＬまでの範囲に入っていた場合には、混合水温センサ１０３の検出値に基づいて算出される制御混合弁開度Ｓｃと、給水温センサ１０１および給湯温センサ１０２の検出値に基づいて算出される計算混合弁開度Ｓｅとのずれは正常範囲内であると判断できるので、給水温センサ１０１、給湯温センサ１０２および混合水温センサ１０３は何れも正常であると判定される。この場合には、ステップＳ８へ進み、実際の混合弁開度が制御混合弁開度Ｓｃに一致するように混合弁駆動モータ４５ａを制御する。
【００３３】
これに対し、上記ステップＳ７で制御混合弁開度Ｓｃが上限開度ＳＵから下限開度ＳＬまでの範囲に入っていなかった場合には、制御混合弁開度Ｓｃと計算混合弁開度Ｓｅとのずれは正常範囲より大きいと判断できる。このため、この場合には、給水温センサ１０１、給湯温センサ１０２および混合水温センサ１０３の何れかに異常があると判定し、ステップＳ１０へ進む。
【００３４】
ステップＳ１０では、制御混合弁開度Ｓｃと下限開度ＳＬとを比較する。制御混合弁開度Ｓｃが下限開度ＳＬより小さかった場合、すなわち制御混合弁開度Ｓｃが下限開度ＳＬより水側全開方向の範囲にあった場合には、ステップＳ１１へ進む。ステップＳ１１では、実際の混合弁開度が下限開度ＳＬに一致するように混合弁駆動モータ４５ａを制御する。
【００３５】
一方、ステップＳ１０で、制御混合弁開度Ｓｃが下限開度ＳＬより小さくなかった場合には、制御混合弁開度Ｓｃは上限開度ＳＵより大きいことになる。すなわち、制御混合弁開度Ｓｃが上限開度ＳＵより湯側全開方向の範囲にあることになる。この場合には、ステップＳ１２へ進む。ステップＳ１２では、実際の混合弁開度が上限開度ＳＵに一致するように混合弁駆動モータ４５ａを制御する。
【００３６】
上述した実施の形態１によれば、水温センサ異常検出のために混合弁開度が強制的に湯側全開にされるようなことがなく、使用者の設定した給湯温度で給湯しながら水温センサの異常検出を行うことができる。このため、使用者に湯の使用を制限することがない。また、混合弁開度が強制的に湯側全開にされることがないので、火傷のおそれもなく、使用者の安全を確保することができる。
【００３７】
更に、本実施形態によれば、給水温センサ１０１、給湯温センサ１０２および混合水温センサ１０３の何れかに異常があると判定された場合には、制御混合弁開度Ｓｃが下限開度ＳＬより水側全開方向の範囲にあった場合には実際の混合弁開度が下限開度ＳＬに一致するように混合弁駆動モータ４５ａが制御され、制御混合弁開度Ｓｃが上限開度ＳＵより湯側全開方向の範囲にあった場合には実際の混合弁開度が上限開度ＳＵに一致するように混合弁駆動モータ４５ａが制御される。これにより、給水温センサ１０１、給湯温センサ１０２および混合水温センサ１０３の何れかに異常が発生した場合においても、使用者の設定した給湯温度になるべく近く、且つ危険でない温度の湯水を給湯栓１６０に供給することができるので、安全を確保しつつ使い勝手を向上することができる。
【００３８】
なお、本実施形態では、制御混合弁開度Ｓｃが上限開度ＳＵから下限開度ＳＬまでの範囲に入っていなかった場合に、給水温センサ１０１、給湯温センサ１０２および混合水温センサ１０３の何れかに異常があると判定しているが、この場合に混合水温センサ１０３に異常があると判定するようにしてもよい。
【００３９】
実施の形態２．
図４は、本発明の実施の形態２における水温センサ異常検出のフローチャートである。これを用いて本発明の実施の形態２について説明する。ただし、給湯機の構成は実施の形態１と同一であるので説明を省略する。また、動作フローもステップＳ１からステップＳ８までは、実施の形態１と同一のため、同一符号を付して説明を省略する。
【００４０】
図４のステップＳ７で、制御混合弁開度Ｓｃが上限開度ＳＵから下限開度ＳＬまでの範囲に入っていなかった場合、つまり、給水温センサ１０１、給湯温センサ１０２および混合水温センサ１０３の何れかに異常があると判定した場合には、ステップＳ１３へ進む。
【００４１】
ステップＳ１３では、制御混合弁開度Ｓｃと計算混合弁開度Ｓｅとを比較する。計算混合弁開度Ｓｅは、前記（１）式に基づいて算出することができる。または、次のようにして算出することもできる。前記（１）〜（３）式より次式が成り立つ。
Ｓｅ＝（ＳＵ＋ＳＬ）／２    ・・・（４）
従って、上記（４）式に、ステップＳ４で算出された上限開度ＳＵおよび下限開度ＳＬの値を代入することによって、計算混合弁開度Ｓｅを算出するようにしてもよい。
【００４２】
上記ステップＳ１３で、制御混合弁開度Ｓｃが計算混合弁開度Ｓｅより小さかった場合には、ステップＳ１４へ進む。ステップＳ１４では、実際の混合弁開度が制御混合弁開度Ｓｃに一致するように混合弁駆動モータ４５ａを制御する。
【００４３】
一方、上記ステップＳ１３で、制御混合弁開度Ｓｃが計算混合弁開度Ｓｅより小さくなかった場合、すなわち制御混合弁開度Ｓｃが計算混合弁開度Ｓｅ以上であった場合には、ステップＳ１５へ進む。ステップＳ１５では、実際の混合弁開度が計算混合弁開度Ｓｅに一致するように混合弁駆動モータ４５ａを制御する。
【００４４】
上述した本実施形態によれば、実施の形態１と同様に、使用者に湯の使用を制限することなく、且つ使用者が火傷するおそれもなく、水温センサの異常検出を行うことができる。
【００４５】
また、本実施形態によれば、給水温センサ１０１、給湯温センサ１０２および混合水温センサ１０３の何れかに異常があると判定された場合には、制御混合弁開度Ｓｃと計算混合弁開度Ｓｅのうちの小さい方の開度（すなわち水側全開に近い方の開度）に実際の混合弁開度が一致するように、混合弁駆動モータ４５ａが制御される。これにより、給水温センサ１０１、給湯温センサ１０２および混合水温センサ１０３の何れかに異常が発生した場合には、制御混合弁開度Ｓｃと計算混合弁開度Ｓｅのうち、混合水温が低くなる方の混合弁開度で湯と水とが混合される。従って、給湯温センサ１０２および混合水温センサ１０３の何れかに異常があると判定された場合おいても、使用者の設定した給湯温度になるべく近く、且つ危険でない温度の湯水を給湯栓１６０に供給することができるので、安全を確保しつつ使い勝手を向上することができる。
【００４６】
実施の形態３．
図５は、本発明の実施の形態３における水温センサ異常検出のフローチャートである。これを用いて本発明の実施の形態３を詳しく説明する。ただし、給湯機の構成は実施の形態１と同一であるので説明を省略する。また、動作フローもステップＳ１からステップＳ８までは、実施の形態１と同一のため、同一符号を付して説明を省略する。
【００４７】
図５のステップＳ７で、制御混合弁開度Ｓｃが上限開度ＳＵから下限開度ＳＬまでの範囲に入っていなかった場合、つまり、給水温センサ１０１、給湯温センサ１０２および混合水温センサ１０３の何れかに異常があると判定した場合には、ステップＳ１６へ進む。
【００４８】
ステップＳ１６では、実際の混合弁開度が、予め定められた固定値Ｓａに一致するように混合弁駆動モータ４５ａを制御する。固定値Ｓａは、給湯栓１６０から出る湯の温度が危険な温度にならないことを保証できるような混合弁開度とされる。例えば、給湯管５０ａからの給湯温度範囲うちの最低温度の湯（例えば６５℃）と、給水管３０ｃからの給水温度範囲うち最高と予測される温度の水（例えば２４℃）とを混合した場合の混合水温が適温（例えば３０℃）になると計算される混合弁開度を固定値Ｓａとすればよい。すなわち、この例では、ＴＨ＝６５℃、ＴＷ＝２４℃、Ｔｇ＝３０℃を前記（１）式に代入して算出される値を固定値Ｓａとして予め設定しておけばよい。実際の混合弁開度がこのような固定値Ｓａになっていれば、給湯管５０ａからの給湯温度や給水管３０ｃからの給水温度がどのような条件であったとしても、給湯栓１６０に供給される混合水の温度が、火傷のおそれがなく、且つ冷た過ぎない適度な温度範囲になる。
【００４９】
上述した本実施形態によれば、実施の形態１と同様に、使用者に湯の使用を制限することなく、且つ使用者が火傷するおそれもなく、水温センサの異常検出を行うことができる。
【００５０】
また、本実施形態によれば、給水温センサ１０１、給湯温センサ１０２および混合水温センサ１０３の何れかに異常があると判定された場合には、実際の混合弁開度が、予め定められた適切な固定値Ｓａに一致するように、混合弁駆動モータ４５ａが制御される。これにより、給湯温センサ１０２および混合水温センサ１０３の何れかに異常があると判定された場合おいても、火傷のおそれがなく、且つ冷た過ぎない適度な温度の湯水を給湯栓１６０に供給することができるので、安全を確保しつつ使い勝手を向上することができる。
【００５１】
実施の形態４．
図６は、本発明の実施の形態３における水温センサ異常検出のフローチャートである。これを用いて本発明の実施の形態４を詳しく説明する。ただし、給湯機の構成は実施の形態１と同一であるので説明を省略する。また、動作フローもステップＳ１からステップＳ８までは、実施の形態１と同一のため、同一符号を付して説明を省略する。
【００５２】
図６のステップＳ７で、制御混合弁開度Ｓｃが上限開度ＳＵから下限開度ＳＬまでの範囲に入っていなかった場合、つまり、給水温センサ１０１、給湯温センサ１０２および混合水温センサ１０３の何れかに異常があると判定した場合には、ステップＳ１７へ進む。ステップＳ１７では、実際の混合弁開度が水側全開（水１００：湯０）となるように混合弁駆動モータ４５ａを制御する。
【００５３】
上述した本実施形態によれば、実施の形態１と同様に、使用者に湯の使用を制限することなく、且つ使用者が火傷するおそれもなく、水温センサの異常検出を行うことができる。
【００５４】
また、本実施形態によれば、給水温センサ１０１、給湯温センサ１０２および混合水温センサ１０３の何れかに異常があると判定された場合には、実際の混合弁開度が水側全開とされる。これにより、給湯温センサ１０２および混合水温センサ１０３の何れかに異常があると判定された場合には、給水管３０ｃからの水がそのまま給湯栓１６０に供給されるので、使用者が火傷することをより確実に防止することができる。
【符号の説明】
【００５５】
１０      ヒートポンプユニット
２０      貯湯タンク
３０ｃ    給水管
４５      電動湯水混合弁
４５ａ    混合弁駆動モータ
５０ａ    給湯管
５０ｂ    混合給湯管
１０１    給水温センサ
１０２    給湯温センサ
１０３    混合水温センサ
１２０    制御装置
１２０ａ  制御装置本体
１２０ｂ  リモコン
１６０    給湯栓
【図１】
2011149605.tif 000003
【図２】
2011149605.tif 000004
【図３】
2011149605.tif 000005
【図４】
2011149605.tif 000006
【図５】
2011149605.tif 000007
【図６】
2011149605.tif 000008